(57)【要約】【課題】蓋部材を単独で開閉することができる画像読取装置及びこれを備えた画像形成装置において、内部に異物が侵入する虞をなくす。【解決手段】プレスローラハウジング５０によって、第１プレスローラ４３の回転軸４３ａ及び第１プレスローラ４３をフィードローラ４２の方向に付勢する一対のねじりコイルばね５１を支持する。カバー部材２２には第１プレスローラ４３の回転軸４３ａ等を支持するための支持部を設ける必要がなく、簡素な金型によりカバー部材２２が成型可能となる。これにより、カバー部材２２のうち原稿搬送機構２６が組み込まれる部分における、カバー部材２２の内側と外側を挿通される開口をなくすことができ、カバー部材２２の内側に異物が侵入したりする虞がなくなる。【選択図】図６
2008153996.tif 000002
【特許請求の範囲】
【請求項１】
ユーザが原稿を載置するガラス製の原稿台と、この原稿台の周縁部の上面側を被うことにより該原稿台を保持するカバー部材と、前記原稿台の上面側において開閉自在に設けられ、該原稿台に載置された原稿を被う蓋部材と、前記原稿台に載置された原稿の画像を読み取って電気信号に変換する画像読取手段とを有する第１画像読取部と、
ユーザによって装填された原稿を保持する原稿給紙トレイと、前記カバー部材の一端側上方に組み込まれ、前記原稿給紙トレイに保持されている原稿を搬送する原稿搬送機構と、この原稿搬送機構によって搬送された後、前記画像読取手段によって画像が読み取られた原稿を保持する原稿排紙トレイとを有する第２画像読取と、
装填された記録紙を保持する記録紙給紙トレイと、この記録紙給紙トレイに保持されている原稿を搬送する記録紙搬送機構と、この記録紙搬送機構によって搬送された記録紙に画像を形成する画像形成手段と、この画像形成手段によって画像が形成された記録紙を保持する記録紙排紙トレイとを有する画像形成部とを備え、
前記原稿搬送機構は、前記原稿給紙トレイに保持されている原稿を前記画像読取部の内部に送出するピックローラと、このピックローラが送出した原稿を前記画像読取手段に搬送するフィードローラと、原稿を前記フィードローラに押圧するプレスローラと、前記画像読取手段によって画像が読み取られた原稿を前記原稿排紙トレイに排出する排出ローラと、前記ピックローラ、フィードローラ及び排出ローラを回転駆動するローラ駆動機構とを有する画像形成装置において、
前記原稿搬送機構は、前記カバー部材の一端側上面に装着され、前記プレスローラの回転軸を支持するプレスローラハウジングと、このプレスローラハウジングに装着され、前記プレスローラを前記フィードローラの方向に付勢するねじりコイルばねと、前記プレスローラハウジングを前記カバー部材に固定するためのハウジング固定ねじとを有し、
前記プレスローラハウジングは、前記プレスローラの回転軸が挿通される軸挿通穴と、前記ハウジング固定ねじが挿通されるねじ挿通穴と、前記ねじりコイルばねのコイル部が装着されるばね装着突部と、前記フィードローラによって搬送される原稿をガイドする原稿ガイドフィンとを有し、
前記カバー部材の前記プレスローラハウジングのねじ挿通穴に対応する部分には、該ねじ挿通穴を挿通されたハウジング固定ねじが螺入されるねじ螺入穴が形成され、
前記カバー部材のうち前記原稿搬送機構が組み込まれる部分には、ねじ螺入穴を除いて前記カバー部材の内側と外側を挿通される開口が存在せず、
前記カバー部材の内側を密閉された空間とすることにより、該カバー部材の内側に異物が侵入する虞をなくしたことを特徴とする画像形成装置。
【請求項２】
ユーザによって装填された原稿を保持する原稿給紙トレイと、この原稿給紙トレイに保持されている原稿を搬送する原稿搬送機構と、この原稿搬送機構によって搬送された原稿の画像を読み取って電気信号に変換する画像読取手段と、この画像読取手段の上部周辺を被うカバー部材とを備え、
前記原稿搬送機構は、前記原稿給紙トレイに保持されている原稿を前記画像読取部の内部に送出するピックローラと、このピックローラが送出した原稿を前記画像読取手段に搬送するフィードローラと、原稿を前記フィードローラに押圧するプレスローラと、前記画像読取手段によって画像が読み取られた原稿を排出する排出ローラと、前記ピックローラ、フィードローラ及び排出ローラを回転駆動するローラ駆動機構とを有する画像読取装置において、
前記原稿搬送機構は、前記カバー部材の上面に装着され、前記プレスローラの回転軸を支持するプレスローラハウジングを有し、
前記カバー部材のうち前記原稿搬送機構が組み込まれる部分には、前記カバー部材の内側と外側を挿通される開口が存在しないことを特徴とする画像読取装置。
【請求項３】
前記原稿搬送機構は、前記プレスローラを前記フィードローラの方向に付勢するねじりコイルばねをさらに有し、
前記プレスローラハウジングには、前記ねじりコイルばねのコイル部が装着されるばね装着突部が形成されていることを特徴とする請求項２に記載の画像読取装置。
【発明の詳細な説明】
【技術分野】
【０００１】
本発明は、原稿の画像を読み取る画像読取装置、及びこれを備え、読み取った画像を記録紙に形成する機能を有する画像形成装置に関するものである。
【背景技術】
【０００２】
従来から、画像形成装置等においては、用紙を円滑に搬送し得るように、種々の用紙搬送機構が提案されている。例えば、特許文献1には、ブラケットに支持されたプレスローラをプレスアームを介して付勢する自動搬送装置が示されている。また、特許文献２には、プレスローラを付勢するねじりコイルばねが係合されるストッパをホルダに２個形成し、押圧力を調整可能とした搬送機構が示されている。また、特許文献３には、２つのコロを支持するホルダをコイルばねによって駆動ローラの方向に付勢する搬送装置が示されている。また、特許文献４には、ピンチローラの摺動部に保存時には液体で、塗布後には潤滑成分を残して乾燥する潤滑剤が塗布された紙送り機構が示されている。
【特許文献１】特開２００１−２６３３５号公報
【特許文献２】特開２００１−１８７６５４号公報
【特許文献３】特開２００１−３４１９０９号公報
【特許文献４】特開２００４−６７３７４号公報
【発明の開示】
【発明が解決しようとする課題】
【０００３】
ところで、近年においては、画像読取装置を備えた画像形成装置が人気を博しており、中でも、ユーザによって原稿台の上に載置された原稿の画像を読み取る第１画像読取部と、原稿搬送機構によって搬送された原稿の画像を読み取る第２画像読取を備えた画像形成装置が人気を集めている。第１画像読取部の原稿台の上部には、原稿を被う蓋部材が開閉自在に設けられているが、第２画像読取の原稿搬送機構は、上記蓋部材と一体的に設けられているのが一般的である。ところが、このような構成では、蓋部材の開閉に大きな力を必要とするため使い勝手が悪い。そこで、原稿搬送機構を蓋部材と分離して原稿台の周縁部を被うカバー部材に組み込むように構成された画像形成装置が登場している。
【０００４】
しかしながら、上記特許文献１乃至３に示された技術を原稿搬送機構として適用し、原稿台の周縁部を被うカバー部材に組み込む場合には、各部品を支持するために支持部をカバー部材に成型するにあたって、金型の構成上、カバー部材に開口が形成される。このような開口から埃等の異物が画像読取装置の内部に侵入するとトラブルの原因となる。また、画像読取時に開口から画像読取装置の内部に外光が入射すると正確な画像を読み取れない。
【０００５】
本発明は、上記課題を解決するためになされたものであり、蓋部材を単独で開閉することができる画像読取装置及びこれを備えた画像形成装置において、内部に異物等が侵入する虞をなくしたものを提供することを目的とする。
【課題を解決するための手段】
【０００６】
上記目的を達成するために請求項１の発明は、
ユーザが原稿を載置するガラス製の原稿台と、この原稿台の周縁部の上面側を被うことにより該原稿台を保持するカバー部材と、前記原稿台の上面側において開閉自在に設けられ、該原稿台に載置された原稿を被う蓋部材と、前記原稿台に載置された原稿の画像を読み取って電気信号に変換する画像読取手段とを有する第１画像読取部と、
ユーザによって装填された原稿を保持する原稿給紙トレイと、前記カバー部材の一端側上方に組み込まれ、前記原稿給紙トレイに保持されている原稿を搬送する原稿搬送機構と、この原稿搬送機構によって搬送された後、前記画像読取手段によって画像が読み取られた原稿を保持する原稿排紙トレイとを有する第２画像読取と、
装填された記録紙を保持する記録紙給紙トレイと、この記録紙給紙トレイに保持されている原稿を搬送する記録紙搬送機構と、この記録紙搬送機構によって搬送された記録紙に画像を形成する画像形成手段と、この画像形成手段によって画像が形成された記録紙を保持する記録紙排紙トレイとを有する画像形成部とを備え、
前記原稿搬送機構は、前記原稿給紙トレイに保持されている原稿を前記画像読取部の内部に送出するピックローラと、このピックローラが送出した原稿を前記画像読取手段に搬送するフィードローラと、原稿を前記フィードローラに押圧するプレスローラと、前記画像読取手段によって画像が読み取られた原稿を前記原稿排紙トレイに排出する排出ローラと、前記ピックローラ、フィードローラ及び排出ローラを回転駆動するローラ駆動機構とを有する画像形成装置において、
前記原稿搬送機構は、前記カバー部材の一端側上面に装着され、前記プレスローラの回転軸を支持するプレスローラハウジングと、このプレスローラハウジングに装着され、前記プレスローラを前記フィードローラの方向に付勢するねじりコイルばねと、前記プレスローラハウジングを前記カバー部材に固定するためのハウジング固定ねじとを有し、
前記プレスローラハウジングは、前記プレスローラの回転軸が挿通される軸挿通穴と、前記ハウジング固定ねじが挿通されるねじ挿通穴と、前記ねじりコイルばねのコイル部が装着されるばね装着突部と、前記フィードローラによって搬送される原稿をガイドする原稿ガイドフィンとを有し、
前記カバー部材の前記プレスローラハウジングのねじ挿通穴に対応する部分には、該ねじ挿通穴を挿通されたハウジング固定ねじが螺入されるねじ螺入穴が形成され、
前記カバー部材のうち前記原稿搬送機構が組み込まれる部分には、ねじ螺入穴を除いて前記カバー部材の内側と外側を挿通される開口が存在せず、
前記カバー部材の内側を密閉された空間とすることにより、該カバー部材の内側に異物が侵入する虞をなくしたものである。
【０００７】
請求項２の発明は、
ユーザによって装填された原稿を保持する原稿給紙トレイと、この原稿給紙トレイに保持されている原稿を搬送する原稿搬送機構と、この原稿搬送機構によって搬送された原稿の画像を読み取って電気信号に変換する画像読取手段と、この画像読取手段の上部周辺を被うカバー部材とを備え、
前記原稿搬送機構は、前記原稿給紙トレイに保持されている原稿を前記画像読取部の内部に送出するピックローラと、このピックローラが送出した原稿を前記画像読取手段に搬送するフィードローラと、原稿を前記フィードローラに押圧するプレスローラと、前記画像読取手段によって画像が読み取られた原稿を排出する排出ローラと、前記ピックローラ、フィードローラ及び排出ローラを回転駆動するローラ駆動機構とを有する画像読取装置において、
前記原稿搬送機構は、前記カバー部材の上面に装着され、前記プレスローラの回転軸を支持するプレスローラハウジングを有し、
前記カバー部材のうち前記原稿搬送機構が組み込まれる部分には、前記カバー部材の内側と外側を挿通される開口が存在しないものである。
【０００８】
請求項３の発明は、請求項２に記載の画像読取装置において、
前記原稿搬送機構は、前記プレスローラを前記フィードローラの方向に付勢するねじりコイルばねをさらに有し、
前記プレスローラハウジングには、前記ねじりコイルばねのコイル部が装着されるばね装着突部が形成されているものである。
【発明の効果】
【０００９】
請求項１の発明によれば、プレスローラの回転軸がプレスローラハウジングによって支持されているので、カバー部材にプレスローラの回転軸を支持するための支持部を設ける必要がない。また、ねじりコイルばねが、プレスローラハウジングに形成されているばね装着突部に装着されているので、カバー部材にねじりコイルばねを装着するための突部を設ける必要がない。従って、上記支持部及び突部等の凹凸がない簡素な形状でカバー部材を構成することが可能となり、これを成型するための金型の構成も簡素化され、金型の製造コストを低減させることができる。また、カバー部材のうち原稿搬送機構が組み込まれる部分には、ねじ螺入穴を除いてカバー部材の内側と外側を挿通される開口が存在しないようにすることが可能となる。なお、ねじ螺入穴には、ハウジング固定ねじが螺入されるため、カバー部材の内側を略完全に密閉された空間とすることができる。よって、第２画像読取によって原稿の画像を読み取る際に、カバー部材の内側に異物が侵入したりする虞がなくなる。
【００１０】
請求項２の発明によれば、画像読取装置において、プレスローラの回転軸がプレスローラハウジングによって支持されているので、カバー部材にプレスローラの回転軸を支持するための支持部を設ける必要がない。従って、上記支持部及び突部等の凹凸がない簡素な形状でカバー部材を構成することが可能となり、これを成型するための金型の構成も簡素化され、金型の製造コストを低減させることができる。また、カバー部材のうち原稿搬送機構が組み込まれる部分には、ねじ螺入穴を除いてカバー部材の内側と外側を挿通される開口が存在しないようにすることが可能となる。よって、第２画像読取によって原稿の画像を読み取る際に、カバー部材の内側に異物が侵入したり、外光が入射したりする虞がなく、正確に画像を読み取ることが可能になる。
【００１１】
請求項３の発明によれば、ねじりコイルばねが、プレスローラハウジングに形成されているばね装着突部に装着されているので、カバー部材にねじりコイルばねを装着するための突部を設ける必要がない。従って、カバー部材の形状をさらに簡素にすることができる。
【発明を実施するための最良の形態】
【００１２】
本発明を実施するための一実施形態による画像形成装置について図面を参照して説明する。図１乃至図３に示すように、画像形成装置１は、原稿の画像を読み取り電気信号に変換する画像読取部２と、画像読取部２が読み取った画像の電気信号又は外部に接続されている機器等から入力された電気信号に基づいて記録紙に画像を形成する画像形成部３を備えている。
【００１３】
画像読取部２は、ユーザによって載置された原稿の画像を１枚ずつ個別に読み取る第１画像読取部２ａと、例えば２枚以上の原稿を自動的に搬送して連続的に画像を読み取る第２画像読取２ｂ等によって構成されている。第１画像読取部２ａは、ユーザが手動で原稿を載置するガラス製の原稿台２１と、画像形成装置１の筐体１０の一部を構成し、原稿台２１の周縁部の上面側を被うことにより原稿台２１を保持するカバー部材２２と、原稿台２１の上面側において開閉自在に設けられ、原稿台２１に載置された原稿を被う蓋部材２３と、原稿台２１に載置された原稿の画像を読み取って電気信号に変換する密着型イメージセンサ（画像読取手段）２４等を有している。密着型イメージセンサ２４は、図３中、矢印Ｘ方向に移動しつつ、原稿の画像を読み取る。第２画像読取２ｂは、ユーザによって装填された原稿を保持する原稿給紙トレイ２５と、カバー部材２２の一端側上方に組み込まれ、原稿給紙トレイ２５に保持されている原稿を搬送する原稿搬送機構２６と、この原稿搬送機構２６によって搬送された後、密着型イメージセンサ２４によって画像が読み取られ排出された原稿を保持する原稿排紙トレイ２７等を有している。本実施形態においては、蓋部材２３の上面を原稿排紙トレイ２７に兼用している。
【００１４】
画像形成部３は、ユーザによって装填された記録紙を保持する記録紙給紙トレイ３１と、記録紙給紙トレイ３１に保持されている原稿を搬送する記録紙搬送機構３２と、記録紙搬送機構３２によって搬送された記録紙に画像を形成するプリント部（画像形成手段）３３と、プリント部３３によって画像が形成された記録紙を保持する記録紙排紙トレイ３４等によって構成されている。プリント部３３の例としては、インクジェット方式のプリントエンジンや、レーザビーム方式のプリントエンジンが挙げられる。
【００１５】
図４は、第２画像読取２ｂの原稿搬送機構２６の構成を示している。原稿搬送機構２６は、原稿給紙トレイ２５に保持されている原稿を第２画像読取２ｂの内部に送出するピックローラ４１と、ピックローラ４１が送出した原稿を密着型イメージセンサ２４に搬送するフィードローラ４２と、原稿をフィードローラ４２に押圧する第１プレスローラ４３と、密着型イメージセンサ２４によって画像が読み取られた原稿を原稿排紙トレイ２７に排出する排出ローラ４４と、原稿を排出ローラ４４に押圧する一対の第２プレスローラ４５と、ピックローラ４１、フィードローラ４２及び排出ローラ４４を回転駆動するローラ駆動機構４６等を有している。
【００１６】
図５及び図６は、原稿搬送機構２６のうち、特に第１プレスローラ４３とその周辺部の構成を示している。原稿搬送機構２６は、第１プレスローラ４３の回転軸４３ａを支持するプレスローラハウジング５０と、第１プレスローラ４３をフィードローラ４２の方向に付勢する一対のねじりコイルばね５１と、プレスローラハウジング５０をカバー部材２２に固定するためのハウジング固定ねじ５２等を有している。プレスローラハウジング５０は、カバー部材２２の一端側上面に装着され、第１プレスローラ４３の回転軸４３ａが挿通される軸挿通穴５０ａと、ハウジング固定ねじ５２が挿通されるねじ挿通穴５０ｂと、ねじりコイルばね５１のコイル部が装着されるばね装着突部５０ｃと、フィードローラ４２によって搬送される原稿をガイドする原稿ガイドフィン５０ｄ等を有している。
【００１７】
軸挿通穴５０ａは、原稿ガイドフィン５０ｄにおいて、第１プレスローラ４３がフィードローラ４２の方向に移動できるように長穴状に形成されている。なお、原稿ガイドフィン５０ｄは、第１プレスローラ４３と干渉しないように、一部が切り欠き状に形成されている。ねじりコイルばね５１は、そのコイル部がプレスローラハウジング５０のばね装着突部５０ｃに装着され、その一端が第１プレスローラ４３の回転軸４３ａと係合され、他端がプレスローラハウジング５０に形成されている係合部５０ｅと係合されている。ねじりコイルばね５１の付勢力によって第１プレスローラ４３がフィードローラ４２の方向に押圧される。
【００１８】
カバー部材２２において、プレスローラハウジング５０のねじ挿通穴５０ｂに対応する部分には、ねじ挿通穴５０ｂを挿通されたハウジング固定ねじ５２が螺入されるねじ螺入穴２２ａが形成されている。このカバー部材２２のうち、原稿搬送機構２６が組み込まれる部分には、ねじ螺入穴２２ａを除いてカバー部材２２の内側と外側を挿通される開口が存在しない。
【００１９】
以上のような構成を有する本実施形態の画像形成装置１によれば、第１プレスローラ４３の回転軸４３ａがプレスローラハウジング５０によって支持されているので、カバー部材２２に第１プレスローラ４３の回転軸４３ａを支持するための支持部を設ける必要がない。また、ねじりコイルばね５１が、プレスローラハウジング５０に形成されているばね装着突部５０ｃに装着されているので、カバー部材２２にねじりコイルばね５１を装着するための突部を設ける必要がない。従って、上記支持部及び突部等の凹凸がない簡素な形状でカバー部材２２を構成することが可能となり、これを成型するための金型の構成も簡素化され、金型の製造コストを低減させることができる。また、カバー部材２２のうち原稿搬送機構２６が組み込まれる部分には、ねじ螺入穴２２ａを除いてカバー部材２２の内側と外側を挿通される開口が存在しないようにすることが可能となる。なお、ねじ螺入穴２２ａには、ハウジング固定ねじ５２が螺入されるため、カバー部材２２の内側を略完全に密閉された空間とすることができる。よって、第２画像読取２ｂによって原稿の画像を読み取る際に、カバー部材２２の内側に異物が侵入したりする虞がなくなる。
【００２０】
なお、本発明は上記実施形態の構成に限られることなく、少なくとも第１プレスローラ４３の回転軸４３ａがプレスローラハウジング５０によって支持され、かつカバー部材２２のうち原稿搬送機構２６が組み込まれる部分には、ねじ螺入穴２２ａを除いてカバー部材２２の内側と外側を挿通される開口が存在しないように構成されていればよい。また、本発明は種々の変形が可能であり、例えば、画像読取機能と画像形成機能を備えた画像形成装置に限られることなく、画像読取機能のみを備えた画像読取装置に適用してもよい。
【図面の簡単な説明】
【００２１】
【図１】本発明の一実施形態による画像形成装置の概略構成を示す図。
【図２】同装置の外観を示す斜視図。
【図３】同装置の蓋部材を開いた状態を示す斜視図。
【図４】同装置の原稿搬送機構の構成を示す図。
【図５】同装置の第１プレスローラとその周辺部の構成を示す斜視図。
【図６】同装置のプレスローラハウジングとその周辺部の構成を示す組み立て斜視図。
【符号の説明】
【００２２】
１    画像形成装置
２    画像読取部
２ａ    第１画像読取部
２ｂ    第２画像読取
３    画像形成部
１０    筐体
１２    軸支持部
２１    原稿台
２２    カバー部材
２２ａ    ねじ螺入穴
２３    蓋部材
２４    密着型イメージセンサ（画像読取手段）
２５    原稿給紙トレイ
２６    原稿搬送機構
２７    排紙トレイ
４１    ピックローラ
４２    フィードローラ
４３    第１プレスローラ
４４    排出ローラ
５０    プレスローラハウジング
５０ａ    軸挿通穴
５０ｂ    ねじ挿通穴
５０ｃ    ばね装着突部
５０ｄ    原稿ガイドフィン
５１    ねじりコイルばね
５２    ハウジング固定ねじ
【図１】
2008153996.tif 000003
【図２】
2008153996.tif 000004
【図３】
2008153996.tif 000005
【図４】
2008153996.tif 000006
【図５】
2008153996.tif 000007
【図６】
2008153996.tif 000008